(57)【要約】【課題】選択項目が選択されているタイミングで、より明確な操作感を生じさせることが可能な回転式入力装置及び電子機器を提供する。【解決手段】回転式入力装置１を備える携帯電話機１００において、回転操作子３の回転角度を検出する回転検出手段と回転操作子３に回転力を付与する超音波モータとを備え、回転操作子３の回転角度が表示画面２３ａに表示された選択項目に対応する所定の角度にあると判断された場合に、生成手段は選択項目の選択を切り替えるための切替信号を生成し、回転制御手段は、回転駆動手段により回転操作子３に対する正転方向への回転力の付与、逆転方向への回転力の付与又は回転力の付与停止のうちの少なくとも何れか２つの組合せにより回転操作子３の回転駆動を制御する。【選択図】図１
2010257053.tif 000002
【特許請求の範囲】
【請求項１】
操作者の回転操作を受けて、軸周りに回転可能な回転操作子と、
前記回転操作子の回転角度を検出する回転検出手段と、
前記回転操作子に回転力を付与する回転駆動手段と、
前記回転検出手段により検出された前記回転操作子の回転角度が、表示部の表示画面に表示された選択項目に対応する所定の角度にあるか否かを判断する判断手段と、
前記判断手段により、前記回転操作子の回転角度が前記所定の角度にあると判断された場合に、前記選択項目の選択を切り替えるための切替信号を生成する生成手段と、
前記判断手段により、前記回転操作子の回転角度が前記所定の角度にあると判断された場合に、前記回転駆動手段により、前記回転操作子に対する正転方向への回転力の付与、逆転方向への回転力の付与又は回転力の付与停止のうちの少なくとも何れか２つの組合せにより、前記回転操作子を操作する操作者に力覚を付与するように前記回転操作子の回転駆動を制御する回転制御手段と、
を備えることを特徴とする回転式入力装置。
【請求項２】
前記回転操作子に対する軸方向の圧力を検知する圧力検知手段を備え、
前記回転制御手段は、前記圧力検知手段による圧力検知の結果に基づいて、前記回転操作子に付与する回転力を変化させることを特徴とする請求項１に記載の回転式入力装置。
【請求項３】
前記圧力検知手段は、前記圧力の大きさを検知可能であり、
前記回転制御手段は、前記圧力検知手段により検知された前記圧力の大きさに応じて前記回転操作子に付与する回転力を変化させることを特徴とする請求項２に記載の回転式入力装置。
【請求項４】
前記回転操作子に対する軸方向の圧力を検知する圧力検知手段を備え、
前記所定の角度は、前記圧力検知手段による圧力検知の結果に基づいて設定されることを特徴とする請求項１に記載の回転式入力装置。
【請求項５】
前記圧力検知手段は、前記圧力の大きさを検知可能であり、
前記所定の角度は、前記圧力検知手段により検出された前記圧力の大きさに応じて設定されることを特徴とする請求項４に記載の回転式入力装置。
【請求項６】
前記所定の角度は、前記表示部の前記表示画面における選択可能な前記選択項目の数に応じて設定されることを特徴とする請求項１〜５の何れか一項に記載の回転式入力装置。
【請求項７】
前記回転駆動手段は、圧電アクチュエータであることを特徴とする請求項１〜６の何れか一項に記載の回転式入力装置。
【請求項８】
請求項１に記載の回転式入力装置と、表示部と、を備え、
前記生成手段により生成された前記切替信号に基づいて、前記表示部の前記表示画面に表示された前記選択項目の選択を切り替える表示制御を行う表示制御手段を備えることを特徴とする電子機器。
【請求項９】
前記回転操作子に対する軸方向の圧力を検知する圧力検知手段を備え、
前記表示制御手段は、前記圧力検知手段により検出された前記圧力の大きさに応じて、前記表示部の前記表示画面における選択可能な前記選択項目の数を変更することを特徴とする請求項８に記載の電子機器。
【請求項１０】
表示部を備える電子機器において、
操作者の回転操作を受けて、軸周りに回転可能な回転操作子と、
前記回転操作子の回転角度を検出する回転検出手段と、
前記回転操作子に回転力を付与する超音波モータと、
前記回転操作子に対する軸方向の圧力の大きさを検知する圧力検知手段と、
前記回転検出手段により検出された前記回転操作子の回転角度が、前記表示部の前記表示画面に表示された選択項目に対応する所定の角度にあるか否かを判断する判断手段と、
前記判断手段により、前記回転操作子の回転角度が前記所定の角度にあると判断された場合に、前記選択項目の選択を切り替えるための切替信号を生成する生成手段と、
前記生成手段により生成された前記切替信号に基づいて、前記表示部の前記表示画面に表示された前記選択項目の選択を切り替える表示制御を行う表示制御手段と、
前記判断手段により、前記回転操作子の回転角度が前記所定の角度にあると判断された場合に、前記圧電アクチュエータにより、前記回転操作子に対する正転方向への回転力の付与、逆転方向への回転力の付与又は回転力の付与停止のうちの少なくとも何れか２つの組合せにより、前記回転操作子を操作する操作者に力覚を付与するように前記回転操作子の回転駆動を制御する回転制御手段と、
を備え、
前記表示制御手段は、前記圧力検知手段により検知された圧力の大きさに応じて、前記表示部の前記表示画面における選択可能な前記選択項目の数を変更し、
前記所定の角度は、前記表示部の前記表示画面における選択可能な前記選択項目の数に応じて設定され、
前記回転制御手段は、前記圧力検知手段により検知された前記圧力の大きさに応じて前記回転操作子に付与する回転力を変化させることを特徴とする電子機器。
【発明の詳細な説明】
【技術分野】
【０００１】
本発明は、回転式入力装置及び電子機器に関する。
【背景技術】
【０００２】
従来、携帯端末機やＡＶ機器、パーソナルコンピュータ等の電子機器に採用され、回転操作子の回転操作によって入力操作を行う回転式入力装置が知られている。こうした回転式入力装置では、回転操作子の回転に連動して、電子機器の表示画面に表示された選択項目が順に切替選択されるようになっており、操作者が目的の選択項目が選択されるまで回転操作子を手動で回転させた後に、その選択を確定する操作を行うことで、選択された選択項目に応じた指示が入力される。
ところが、上記の回転式入力装置では、単に回転操作子の回転操作を行うだけで、画面上の各選択項目が切替選択されるため、画面上の選択項目を選択したということを操作者が手や指の感覚として把握しにくいという問題があった。
【０００３】
そこで、操作者に触覚的な操作感を生じさせるため、ジョグダイヤル（回転操作子）の回転制御を行うための駆動モータを設け、ジョグダイヤルの回転位置に応じて、ジョグダイヤルの回転方向と同じ方向に付勢回転力を加える制御と、ジョグダイヤルの回転方向と逆方向に負荷回転力を加える制御と、駆動モータに駆動電圧を供給せずジョグダイヤルをフリー回転させる制御と、を切り替えて実行する装置が提案されている（特許文献１参照）。
【先行技術文献】
【特許文献】
【０００４】
【特許文献１】特開２００３−２２８４５５号公報
【発明の概要】
【発明が解決しようとする課題】
【０００５】
しかしながら、上記特許文献１の装置では、選択要素（選択項目）に接近していく区間においてジョグダイヤルが付勢回転し、選択要素が選択されている区間においてジョグダイヤルがフリー回転し、選択要素を過ぎた区間においてジョグダイヤルが負荷回転する。つまり、ある選択項目から次の選択項目に遷移するタイミングのみジョグダイヤルに回転力が付与され、選択要素が選択されているタイミングではジョグダイヤルに回転力が付与されないようになっている。そのため、特許文献１では、各選択要素を選択したということを操作者に感得させることはできるものの、選択要素が選択されているタイミングでは、操作者に、キーを機械的に押下した場合に生じる反力に相当するような操作感を与えることができず、より明確な操作感を求める操作者にとって物足りないものであった。
【０００６】
本発明の課題は、選択項目が選択されているタイミングで、より明確な操作感を生じさせることが可能な回転式入力装置及び電子機器を提供することである。
【課題を解決するための手段】
【０００７】
上記課題を解決するため、請求項１に記載の発明は、
操作者の回転操作を受けて、軸周りに回転可能な回転操作子と、
前記回転操作子の回転角度を検出する回転検出手段と、
前記回転操作子に回転力を付与する回転駆動手段と、
前記回転検出手段により検出された前記回転操作子の回転角度が、表示部の表示画面に表示された選択項目に対応する所定の角度にあるか否かを判断する判断手段と、
前記判断手段により、前記回転操作子の回転角度が前記所定の角度にあると判断された場合に、前記選択項目の選択を切り替えるための切替信号を生成する生成手段と、
前記判断手段により、前記回転操作子の回転角度が前記所定の角度にあると判断された場合に、前記回転駆動手段により、前記回転操作子に対する正転方向への回転力の付与、逆転方向への回転力の付与又は回転力の付与停止のうちの少なくとも何れか２つの組合せにより、前記回転操作子を操作する操作者に力覚を付与するように前記回転操作子の回転駆動を制御する回転制御手段と、
を備えることを特徴とする。
【０００８】
請求項２に記載の発明は、請求項１に記載の回転式入力装置において、
前記回転操作子に対する軸方向の圧力を検知する圧力検知手段を備え、
前記回転制御手段は、前記圧力検知手段による圧力検知の結果に基づいて、前記回転操作子に付与する回転力を変化させることを特徴とする。
【０００９】
請求項３に記載の発明は、請求項２に記載の回転式入力装置において、
前記圧力検知手段は、前記圧力の大きさを検知可能であり、
前記回転制御手段は、前記圧力検知手段により検知された前記圧力の大きさに応じて前記回転操作子に付与する回転力を変化させることを特徴とする。
【００１０】
請求項４に記載の発明は、請求項１に記載の回転式入力装置において、
前記回転操作子に対する軸方向の圧力を検知する圧力検知手段を備え、
前記所定の角度は、前記圧力検知手段による圧力検知の結果に基づいて設定されることを特徴とする。
【００１１】
請求項５に記載の発明は、請求項４に記載の回転式入力装置において、
前記圧力検知手段は、前記圧力の大きさを検知可能であり、
前記所定の角度は、前記圧力検知手段により検出された前記圧力の大きさに応じて設定されることを特徴とする。
【００１２】
請求項６に記載の発明は、請求項１〜５の何れか一項に記載の回転式入力装置において、
前記所定の角度は、前記表示部の前記表示画面における選択可能な前記選択項目の数に応じて設定されることを特徴とする。
【００１３】
請求項７に記載の発明は、請求項１〜６の何れか一項に記載の回転式入力装置において、
前記回転駆動手段は、圧電アクチュエータであることを特徴とする。
【００１４】
請求項８に記載の発明は、電子機器において、
請求項１に記載の回転式入力装置と、表示部と、を備え、
前記生成手段により生成された前記切替信号に基づいて、前記表示部の前記表示画面に表示された前記選択項目の選択を切り替える表示制御を行う表示制御手段を備えることを特徴とする。
【００１５】
請求項９に記載の発明は、請求項８に記載の電子機器において、
前記回転操作子に対する軸方向の圧力を検知する圧力検知手段を備え、
前記表示制御手段は、前記圧力検知手段により検出された前記圧力の大きさに応じて、前記表示部の前記表示画面における選択可能な前記選択項目の数を変更することを特徴とする。
【００１６】
請求項１０に記載の発明は、表示部を備える電子機器において、
操作者の回転操作を受けて、軸周りに回転可能な回転操作子と、
前記回転操作子の回転角度を検出する回転検出手段と、
前記回転操作子に回転力を付与する圧電アクチュエータと、
前記回転操作子に対する軸方向の圧力の大きさを検知する圧力検知手段と、
前記回転検出手段により検出された前記回転操作子の回転角度が、前記表示部の前記表示画面に表示された選択項目に対応する所定の角度にあるか否かを判断する判断手段と、
前記判断手段により、前記回転操作子の回転角度が前記所定の角度にあると判断された場合に、前記選択項目の選択を切り替えるための切替信号を生成する生成手段と、
前記生成手段により生成された前記切替信号に基づいて、前記表示部の前記表示画面に表示された前記選択項目の選択を切り替える表示制御を行う表示制御手段と、
前記判断手段により、前記回転操作子の回転角度が前記所定の角度にあると判断された場合に、前記超音波モータにより、前記回転操作子に対する正転方向への回転力の付与、逆転方向への回転力の付与又は回転力の付与停止のうちの少なくとも何れか２つの組合せにより、前記回転操作子を操作する操作者に力覚を付与するように前記回転操作子の回転駆動を制御する回転制御手段と、
を備え、
前記表示制御手段は、前記圧力検知手段により検知された圧力の大きさに応じて、前記表示部の前記表示画面における選択可能な前記選択項目の数を変更し、
前記所定の角度は、前記表示部の前記表示画面における選択可能な前記選択項目の数に応じて設定され、
前記回転制御手段は、前記圧力検知手段により検知された前記圧力の大きさに応じて前記回転操作子に付与する回転力を変化させることを特徴とする。
【発明の効果】
【００１７】
本発明によれば、回転操作子の回転角度が選択項目に対応する所定の角度がある場合に、表示部の表示画面に表示された選択項目の選択の切り替えに連動して、回転駆動部により、回転操作子に対して正転方向への回転力の付与、逆転方向への回転力の付与又は回転力の付与停止のうちの少なくとも何れか２つを組み合せた回転駆動が実行される。したがって、回転操作子の回転操作によって選択項目の選択が切り替わるタイミングで、操作者に回転操作子の回転による力覚を与えて、選択項目の選択が切り替えられたことをより確実に把握させることができ、回転式入力装置及び電子機器において、選択項目が選択されているタイミングで操作者に明確な操作感を与えることが可能となる。
【図面の簡単な説明】
【００１８】
【図１】本発明を適用した本実施形態の回転式入力装置を備える携帯電話機の斜視図である。
【図２】本実施形態の携帯電話機の機能的構成を示すブロック図である。
【図３】本実施形態の回転式入力装置の外観斜視図である。
【図４】図３のIV−IV線における断面図である。
【図５】本実施形態の回転式入力装置の分解図である。
【図６】表示部の表示画面に表示された選択画面の一例である。
【図７】表示部の表示画面に表示された選択画面の一例である。
【図８】表示部の表示画面に表示された選択画面の一例である。
【図９】表示部の表示画面に表示された選択画面の一例である。
【図１０】表示部の表示画面に表示された選択画面の一例である。
【図１１】表示部の表示画面に表示された選択画面の一例である。
【図１２】表示部の表示画面に表示された選択画面の一例である。
【図１３】表示部の表示画面に表示された選択画面の一例である。
【発明を実施するための形態】
【００１９】
以下、本発明に係る実施の形態について、図面を参照しながら説明する。なお、本発明の範囲は、以下の実施例及び図示例に限定されるものではない。
以下では、本発明に係る電子機器として、無線通信による音声通話を行う携帯電話機を例示して説明を行うこととする。
【００２０】
本実施形態の携帯電話機１００は、図１及び図２に示すように、操作者が入力操作を行うための回転式入力装置１と、この回転式入力装置１に接続され、回転式入力装置１によって操作される携帯電話機ユニット２と、を備えて構成される。
【００２１】
まず、本実施形態に係る回転式入力装置１について説明する。
回転式入力装置１は、図２〜図５に示すように、操作者が手動で回転させることが可能な回転操作子３と、回転操作子３の底面側に設けられ、回転操作子３を回転自在に支持する支持台４と、を備えて成り、全体が略円盤形状を呈している。
【００２２】
回転操作子３は、中央に開口部３１ａを有する円形形状の上面部３１と、上面部３１の縁部から全周に亘って下方に突出した周面部３２と、から成り、支持台４の上方側を覆う位置に設けられることで、回転式入力装置１の上面及び周面をなしている。上面部３１は、操作者が回転操作を行うための操作面Ｐとなっており、操作者は、上面部３１の一点を指先で押さえながら、或いは、周面部３２を摘んで回転操作子３を回転させることで、携帯電話機ユニット２に対する入力操作を行う。回転操作子３は、例えばアルミニウム等の放熱性のある材料、外部からの衝撃に対する耐性が強い材料によって形成されていても良いし、樹脂等によって形成されていても良い。
【００２３】
支持台４は、ベース４１と、このベース４１に連結されたＰＣＢ基板４２とから成り、回転操作子３の底面側の開口を覆う位置に設けられることで、回転式入力装置１の底面をなしている。
【００２４】
ベース４１は、中央が開口した略ドーナツ盤状の台座部４１１と、台座部４１１の周縁部４１１ａから外側に延出する４つの延出部４１２と、を備え、各延出部４１２には、ネジ取り付け用のネジ孔４１２ａと、ネジ孔４１２ａよりも外側の下面から下方に延出する突起４１２ｂと、が設けられている。ベース４１は、例えばポリカーボネート等の材料から成る。
ＰＣＢ基板４２は、回転操作子３と略同一の外径を有する平板円環状に形成され、略中央の開口部４２１には、ベース４１の台座部４１１が嵌め込まれて取り付けられている。また、ＰＣＢ基板４２には、ベース４１の各延出部４１２の下面に突設された突起４１２ｂを取り付けるための取付孔４２２が設けられている。そして、ベース４１の台座部４１１をＰＣＢ基板４２の開口部４２１に嵌め込むように取り付けるとともに、ベース４１の各突起４１２ｂをＰＣＢ基板４２の各取付孔４２２に嵌入させることによって、ＰＣＢ基板４２とベース４１とが一体的に連結されている。
【００２５】
また、ＰＣＢ基板４２には、ベース４１のネジ孔４１２ａと重なり合う位置に、ネジ孔４１２ａよりもやや径の大きい孔部４２３が、各ネジ孔４１２ａに対応して４つ設けられており、ＰＣＢ基板４２の下面側からＰＣＢ基板４２の孔部４２３を介してベース４１のネジ孔４１２ａに、薄頭ネジ等のネジ４３が螺合されることによって、ＰＣＢ基板４２とベース４１とが固定されている。
また、ＰＣＢ基板４２の裏面４２ａには、操作者の回転操作における押圧力を検出する感圧センサ（圧力検知手段）９ａ〜９ｄが４つ配設されている。
【００２６】
さらに、回転操作子３の上面部３１の開口部３１ａの内周面には、ベアリング５が配設され、このベアリング５の中央には、回転操作子３の回転軸（軸）となるビス６を挿通させる貫通孔５ａが設けられている。そして、回転操作子３の上方側から、皿ビス等のビス６をベアリング５の貫通孔５ａに挿入し、さらに、下方に突出したビス６の下端部を、ベース４１の中央の開口４１３の内周面に形成された雌ネジ４１３ａに螺嵌させることによって、ビス６と支持台４とが固定される。これにより、支持台４に対して回転操作子３がビス６周りに回転自在に連結されるようになっている。
【００２７】
また、回転操作子３と支持台４との間には空間Ｓが形成され、この空間Ｓには、回転操作子３の回転角度を検出する回転検出部（回転検出手段）７、回転操作子３を回転させる超音波モータ（回転駆動手段、圧電アクチュエータ）８、回転式入力装置１の各部を制御する制御部１０、携帯電話機ユニット２との間で各種信号の送受信を行う入出力部１１等が配設されている。
【００２８】
回転検出部７は、例えば、リング状のコードホイール７１と、コードホイール７１の回転角変位を検出するフォトインタラプタ７２とから構成される。
【００２９】
コードホイール７１は、回転操作子３の上面部３１の裏面３３側に固着されており、回転操作子３の回転に連動して回転する。コードホイール７１の下面７１ａには、光を反射させる反射面が、Ａ相、Ｂ相の２つの検出パターンで周方向に沿って所定のピッチで印刷されている。
【００３０】
フォトインタラプタ７２は、ＬＥＤ等の発光素子７２ａとフォトＩＣ等の受光素子７２ｂとから成る反射型フォトインタラプタであり、ＰＣＢ基板４２上のコードホイール７１に対向する位置に搭載され、制御部１０に接続されている。また、受光素子７２ｂは少なくとも２つの受光面を有し、互いに９０度の位相差を有するＡ相、Ｂ相の検出信号を出力するようになっている。フォトインタラプタ７２は、発光素子７２ａがコードホイール７１に向けて発した光の反射光を受光素子７２ｂで受光してカウントすることで、回転操作子３の回転量及び回転方向を検出し、Ａ相、Ｂ相検出信号として制御部１０に出力する。制御部１０では、フォトインタラプタ７２から検出された回転操作子３の回転量及び回転方向を示すＡ相、Ｂ相検出信号に基づいて、回転操作子３の回転角度を特定する。
【００３１】
超音波モータ８は、圧電素子８１、リング状のステータ８２、ステータ８２の上面に接触するロータ８３等から構成され、制御部１０からの制御によって駆動され、回転操作子３を回転軸としてのビス６周りに回転させる。
【００３２】
ステータ８２は、ベース４１の上面部に形成されたリング状の凹部４１４に嵌入され、平板円環状の両面テープ８４によってベース４１に固定されている。ステータ８２の上部には、周方向に沿って配設された複数の凸部８２１が備わり、また、ステータ８２の下面側には、電圧の印加に応じて振動エネルギーを発生させる圧電素子８１が、ステータ８２の周方向に沿って複数配置されている。ロータ８３は、例えば高分子ポリエチレン等の材料により形成され、平板円環状をなし、コードホイール７１の内周側であって、ステータ８２と回転操作子３とによって挟まれる位置に配設されている。
また、回転操作子３とロータ８３との間には、平板円環状の両面テープ８５が配設され、回転操作子３の裏面３３とロータ８３の上面とにそれぞれ接着されている。ロータ８３の上面は、回転操作子３の裏面３３に接着された両面テープ８５の下面に接着されるとともに、その下面が、ステータ８２の凸部８２１と接触するように設けられている。ロータ８３の下面は摩擦係数が高くなっており、その下面に接触するステータ８２の振動により発生する進行波の向きと反対方向に回転するようになっている。
【００３３】
そして、制御部１０により圧電素子８１に駆動信号が印加されると、圧電素子８１の超音波振動によってステータ８２全体が振動して進行波がロータ８３に伝達され、ロータ８３が回転する。すると、ロータ８３の回転力が回転操作子３に伝達され、これにより、回転操作子３が回転するようになっている。さらに、圧電素子８１に印加する駆動信号の駆動周波数を制御することによって、圧電素子８１の超音波振動による回転操作子３の回転力の大きさや回転方向を自在に設定できるようになっている。
【００３４】
両面テープ８４、８５は、例えば、アクリルフォームなどのゲル状の素材又はゴム素材からなる。従って、ステータ８２の上方側及び下方側にそれぞれ配設されたこれらの両面テープ８４、８５は、ステータ８２が駆動された際に発生する異音を吸収するダンパーとしての機能を果たしている。
【００３５】
感圧センサ９ａ〜９ｄは、ＰＣＢ基板４２の裏面４２ａ側に、周方向に９０°間隔で固着されている。各感圧センサ９ａ〜９ｄは、制御部１０に接続されており、操作者の回転操作子３の回転操作において、回転操作子３に対して加えられる軸方向の圧力の大きさを検知し、制御部１０を介して、メイン制御部２４に出力する。メイン制御部２４では、４つの感圧センサ９ａ〜９ｄからそれぞれ出力される圧力検知信号に基づいて、回転操作における軸方向の押圧力を特定する。
感圧センサ９ａ〜９ｄとしては、例えば、抵抗膜式、拡散式、成膜式、静電容量式、機械式等の感圧センサを用いることができる。
【００３６】
また、上述の回転操作子３、コードホイール７１、ロータ８３は、それぞれ同軸上に配設されており、支持台４に固定された回転軸としてのビス６周りに回転されるようになっている。
【００３７】
制御部１０は、ＣＰＵ（Central Processing Unit）、ＲＡＭ（Random Access Memory）、ＲＯＭ（Read Only Memory）（いずれも図示せず）等を備えて構成され、メイン制御部２４と接続されている。制御部１０は、回転式入力装置１の各部を制御するとともに、入出力部１１を介して、メイン制御部２４との間で各種信号の送受信を行う。
【００３８】
入出力部１１は、携帯電話機ユニット２と接続され、携帯電話機ユニット２との間で、各種センサの検出結果等を携帯電話機ユニット２のメインＣＰＵ２４１に対して送信する。
具体的には、入出力部１１は、回転検出部７のフォトインタラプタ７２から出力される回転操作子３の回転量及び回転方向を示すＡ相、Ｂ相検出信号や、ＰＣＢ基板４２の裏面４２ａ側に配設された４つの感圧センサ９ａ〜９ｄから出力される圧力検知信号をメイン制御部２４に出力する。また、メイン制御部２４からは、入出力部１１に対して超音波モータ８を駆動させるための駆動信号が入力される。
【００３９】
次に、本実施形態に係る携帯電話機ユニット２について説明する。
携帯電話機ユニット２は、図２に示すように、アンテナ（図示省略）を備え、外部機器との間で無線信号を送受信する通信部２１と、スピーカやマイク（図示省略）等を備え、音声の入出力を行う通話部２２と、表示画面２３ａを備え、表示画面２３ａ上に各種画面を表示させる表示部２３と、携帯電話機１００全体を統括制御するメイン制御部２４と、を備えて構成される。なお、通信部２１や通話部２２は公知の技術を用いるため、詳しい説明は省略する。
【００４０】
表示部２３は、ＬＣＤ(Liquid Crystal Display)等の表示画面２３ａを備えて構成され、メイン制御部２４からの指示にしたがって、表示画面２３ａに各種画面を表示させる。
【００４１】
メイン制御部２４は、メインＣＰＵ（Central Processing Unit）２４１、ＲＡＭ（Random Access Memory）２４２、ＲＯＭ（Read Only Memory）２４３等を備えて構成され、制御部１０と接続されている。メイン制御部２４は、回転式入力装置１から送られてくる入力操作信号に基づいて、携帯電話機ユニット２の各部を制御する。
【００４２】
メインＣＰＵ２４１は、携帯電話機ユニット２および回転式入力装置１の各部から入力された入力信号に応じて、ＲＯＭ２４３に格納された処理プログラム等を読み出してＲＡＭ２４２に展開して実行し、各部に制御信号を出力することにより、携帯電話機１００全体の制御を行う。
【００４３】
ＲＡＭ２４２は、メインＣＰＵ２４１により実行される各種プログラムを展開するプログラム格納領域や、入力データやこれらの処理プログラムが実行される際に生じる処理結果等を格納するデータ格納領域を備え、メインＣＰＵ２４１のワークエリアとして用いられる。
【００４４】
ＲＯＭ２４３は、処理プログラムやデータ等を予め記憶しており、例えば、回転検出プログラム２４３ａ、圧力検知プログラム２４３ｂ、判断プログラム２４３ｃ、生成プログラム２４３ｄ、回転制御プログラム２４３ｅ、表示制御プログラム２４３ｆ等を格納している。
【００４５】
回転検出プログラム２４３ａは、メインＣＰＵ２４１に、回転操作子３の回転角度を検出する機能を実現させるためのプログラムである。本実施形態では、かかる回転検出プログラム２４３ａ、メインＣＰＵ２４１、回転検出部７により、回転検出手段が構成される。
【００４６】
圧力検知プログラム２４３ｂは、メインＣＰＵ２４１に、回転操作子３に対する軸方向の圧力の大きさを検知する機能を実現させるためのプログラムである。本実施形態では、かかる圧力検知プログラム２４３ｂ、メインＣＰＵ２４１、感圧センサ９ａ〜９ｄにより、圧力検知手段が構成される。
【００４７】
判断プログラム２４３ｃは、メインＣＰＵ２４１に、回転検出プログラム２４３ａの実行において検出された回転操作子３の回転角度が、表示部２３の表示画面２３ａに表示された選択項目に対応する所定の角度にあるか否かを判断する機能を実現させるためのプログラムである。本実施形態では、かかる判断プログラム２４３ｃ、メインＣＰＵ２４１により、判断手段が構成される。
【００４８】
生成プログラム２４３ｄは、メインＣＰＵ２４１に、判断プログラム２４３ｃの実行において、回転操作子３の回転角度が所定の角度にあると判断された場合に、選択項目の選択を切り替えるための切替信号を生成する機能を実現させるためのプログラムである。本実施形態では、かかる生成プログラム２４３ｄ、メインＣＰＵ２４１により、生成手段が構成される。
【００４９】
回転制御プログラム２４３ｅは、メインＣＰＵ２４１に、判断プログラム２４３ｃの実行において、回転操作子３の回転角度が所定の角度にあると判断された場合に、超音波モータ８により、回転操作子３に対する正転方向への回転力の付与、逆転方向への回転力の付与又は回転力の付与停止のうちの少なくとも何れか２つの組合せにより、回転操作子３を操作する操作者に力覚を付与するように、回転操作子３の回転駆動を制御する機能を実現させるためのプログラムである。本実施形態では、かかる回転制御プログラム２４３ｅ、メインＣＰＵ２４１により、回転制御手段が構成される。
【００５０】
表示制御プログラム２４３ｆは、メインＣＰＵ２４１に、生成プログラム２４３ｄの実行において生成された切替信号に基づいて、表示部２３の表示画面２３ａに表示された選択項目の選択を切り替える表示制御を行う機能を実現させるためのプログラムである。本実施形態では、かかる表示制御プログラム２４３ｆ、メインＣＰＵ２４１により、表示制御手段が構成される。
【００５１】
そして、本実施形態では、上述した回転検出部７、超音波モータ８、感圧センサ９ａ〜９ｄ、制御部１０、入出力部１１、メイン制御部２４によって、本発明における回転式入力装置１が構成される。
なお、本発明において、「力覚」とは、単なる振動による触覚ではなく、回転操作子を回転させるときに指にかかる重さの感覚をいう。具体的には、回転が軽いと感じたり、重いと感じたりする感覚のことをいう。
本実施形態では、回転操作子３を３〜６ｍｓｅｃ若しくは１〜５度回転させ、且つ、回転操作子３に対して０．０５Ｎｃｍ以上のトルクを付与することによって、操作者に対して力覚を付与することができる。
【００５２】
ここで、上述の回転検出プログラム２４３ａ、圧力検知プログラム２４３ｂ、生成プログラム２４３ｄ、判断プログラム２４３ｃ、回転制御プログラム２４３ｅ、表示制御プログラム２４３ｆの実行により行われる回転駆動処理及び表示制御処理について説明するとともに、併せて、本実施形態の携帯電話機１００の作用について説明する。
【００５３】
携帯電話機ユニット２に備わる表示画面２３ａ上に、複数の選択項目が表示された画面（以下、複数の選択項目が表示された表示画面２３ａ上の画面を「選択画面」という）が表示されている場合、操作者は、回転操作子３の操作面Ｐの一点を指先で押さえながら回転操作子３を回転させることで、選択画面上に表示された選択項目のうちから、目的の選択項目を選択する。さらに、操作者は、回転操作子３の回転操作によって目的の選択項目を選択した後に、選択した選択項目を決定する決定操作を行うことで、携帯電話機ユニット２に対する入力操作を行う。
【００５４】
ここで、上述したように、回転操作子３が操作者によって回転操作されている際には、回転検出部７から回転操作子３の回転量と回転方向を示すＡ相、Ｂ相検出信号が、制御部１０及び入出力部１１を介してメイン制御部２４に出力され、メイン制御部２４では、Ａ相、Ｂ相検出信号に基づいて回転操作子３の回転角度が特定されるようになっている。さらに、メイン制御部２４は、回転検出部７から出力される検出信号に基づいて特定した回転操作子３の回転角度が、選択画面における選択可能な選択項目に対応する選択角度（所定の角度）となったか否かを監視している。
そして、回転操作子３の回転角度が、選択画面における選択可能な選択項目に対応する選択角度となった場合、メイン制御部２４は、選択画面における選択項目の選択を切り替えるための切替信号を生成し、生成した切替信号を表示部２３に出力することで、表示画面２３ａに表示された選択画面上の選択項目の選択を切り替える表示制御を行う。また、表示画面２３ａにおける表示制御を行う一方で、超音波モータ８に対して駆動信号を出力して、回転操作子３を操作する操作者に対して力覚を付与するように、超音波モータ８を駆動させて回転操作子３を回転駆動させる。
【００５５】
上記の選択角度（所定の角度）は、表示画面２３ａに表示された選択画面における選択可能な選択項目の数に応じて設定される。
本実施形態では、選択角度が、回転操作子３の１回転分の角度（３６０°）を選択画面上の選択可能な選択項目の数で等分割した角度毎に設定され、選択画面上の選択可能な選択項目が多いほど、選択角度が細かくなり、選択画面上の選択可能な選択項目が少ないほど、選択角度が粗くなるようになっている。すなわち、例えば、選択可能な選択項目数が１２個の場合、選択角度は３０°刻みで設定され、選択可能な選択項目数が２４個の場合、選択角度は１５°刻みで設定される。
【００５６】
また、上述したように、ＰＣＢ基板４２の裏面４２ａ側に配設された４つの感圧センサ９ａ〜９ｄからは、回転操作子３に対する軸方向の圧力を示す圧力検出信号が制御部１０を介してメイン制御部２４に出力され、メイン制御部２４では、各感圧センサ９ａ〜９ｄからそれぞれ出力される検知信号に基づいて、回転操作子３に対する軸方向の圧力が特定されるようになっている。そして、メイン制御部２４は、各感圧センサ９ａ〜９ｄから出力される圧力検知信号に基づいて特定した回転操作子３に対する軸方向の圧力の大きさを判別し、回転操作子３に対する軸方向の圧力の大きさに応じて、回転操作子３の回転駆動制御及び表示画面２３ａの表示制御処理を実行する。
【００５７】
本実施形態では、メイン制御部２４は、軸方向の圧力の大きさを「大、中、小」の３段階のレベルで検出し、検出した圧力のレベルに応じた制御を実行する。
例えば、回転操作子３に対する軸方向の圧力の大きさが「小」である場合を通常時の入力操作とする。
メイン制御部２４は、回転操作子３に対する軸方向の圧力の大きさが「中」であると判断した場合、選択項目の数の切り替えを指示する表示切替信号を表示部２３に対して出力し、表示画面２３ａの選択画面上に表示された選択項目の数を増加させるとともに、回転操作子３の１回転あたりの選択角度の分割数を増加させる。なお、このとき、選択画面に表示された全ての選択項目が、選択可能な選択項目である。
また、メイン制御部２４は、回転操作子３に対する軸方向の圧力の大きさが「中」であると判断した場合、回転操作子３の回転角度が選択画面における選択可能な選択項目に対応する選択角度となったタイミングで、通常時の回転力よりも大きな回転力で超音波モータ８を回転駆動させる。
また、メイン制御部２４は、回転操作子３に対する軸方向の圧力の大きさが「大」であると判断した場合、選択画面における選択項目の選択を決定する決定操作が行われたと判断し、決定された選択項目に応じた処理を実行する。
さらに、メイン制御部２４は、選択画面上に複数の選択項目から成る選択項目群が複数表示されており、且つ、回転操作子３に対する軸方向の圧力の大きさが「大」であると判断した場合、選択画面における選択可能な選択項目群の切り替えを指示する表示切替信号を表示部２３に対して出力し、選択画面上における選択可能な選択項目群の切り替えを行う。
【００５８】
このように、本実施形態では、回転操作子３の回転操作によって、表示画面２３ａに表示された選択項目を選択することができるとともに、表示画面２３ａにおける選択項目の選択の切り替えに連動して、回転操作子３に超音波モータ８の駆動による回転力が付与されるようになっている。また、操作者が回転操作子３を押圧する力を変えることによって、表示画面２３ａに表示された選択画面の切替（選択項目の数の変更）、回転操作子３に付与される回転力の大きさの切り替え、選択項目の決定、選択可能な選択項目群の切り替え等を指示することができるようになっている。
なお、回転操作子３の回転操作と押圧操作は必ずしも別々に行う必要はなく、回転操作と同時に押圧操作を実行しても良い。
【００５９】
ここで、上述の選択項目の選択処理、回転操作子３の回転駆動処理、表示画面２３ａに表示された選択画面の切替処理（選択項目の数の変更）及び回転操作子３の１回転あたりの選択角度の分割数、回転力の大きさの切替処理、選択項目の決定処理、選択可能な選択項目群の切替処理等について、具体例を挙げて説明する。
【００６０】
図６は、表示部２３の表示画面２３ａに表示された選択画面の一例である。図６の選択画面では、１２個の選択項目（選択可能な選択項目）が、リング状に等間隔に並んで表示されている。また、これら１２個の選択項目のうち、選択された選択項目（図６では、選択項目「ＡＡＡ」）が、リングの最上部に位置するように表示され、その他の選択項目よりも大きく表示されるようになっている。
【００６１】
上述したように、選択角度は、回転操作子３の１回転分の角度（３６０°）を選択画面上の選択可能な選択項目の数で等分割した角度毎に設定されるため、図６のように、選択可能な選択項目数が１２個の場合には、選択角度は３０°刻みで設定される。
すなわち、図６の選択画面上での回転操作子３の回転操作において、選択項目「ＡＡＡ」（デフォルトの選択項目）を選択するための選択角度を「０°」とした場合、選択項目「ＢＢＢ」を選択するための選択角度は「３０°」、選択項目「ＣＣＣ」を選択するための選択角度は「６０°」、選択項目「ＤＤＤ」を選択するための選択角度は「９０°」、選択項目「ＥＥＥ」を選択するための選択角度は「１２０°」、選択項目「ＦＦＦ」を選択するための選択角度は「１５０°」、選択項目「ＧＧＧ」を選択するための選択角度は「１８０°」、選択項目「ＨＨＨ」を選択するための選択角度は「２１０°」、選択項目「ＩＩＩ」を選択するための選択角度は「２４０°」、選択項目「ＪＪＪ」を選択するための選択角度は「２７０°」、選択項目「ＫＫＫ」を選択するための選択角度は「３００°」、選択項目「ＬＬＬ」を選択するための選択角度は「３３０°」に設定される。
【００６２】
これにより、図６の選択画面では、回転操作子３を３０°回転させる度に、選択項目の選択が順に切り替えられるようになっている。
例えば、選択項目「ＡＡＡ」が選択される回転角度を基準（「０°」）として、操作者が回転操作子３を時計回り方向に３０°回転させ、回転操作子３の回転角度が「３０°」となると、図７に示すように、選択画面上のリングが反時計回りに３０°回転し、選択項目「ＢＢＢ」が選択される。また、操作者が、回転操作子３を回転角度「３０°」から更に時計回り方向に３０°回転させ、回転操作子３の回転角度が「６０°」となると、図８に示すように、選択画面上のリングが反時計回りに３０°回転し、選択項目「ＣＣＣ」が選択される。また、操作者が、回転操作子３を回転角度「６０°」から更に時計回り方向に３０°回転させ、回転操作子３の回転角度が「９０°」となると、図９に示すように、選択画面上のリングが反時計回りに３０°回転し、選択項目「ＤＤＤ」が選択される。
このように、図６の選択画面では、操作者が回転操作子３を時計回り方向に３０°回転させる度に、選択される選択項目が「ＡＡＡ」→「ＢＢＢ」→「ＣＣＣ」→「ＤＤＤ」→・・・→「ＬＬＬ」→「ＡＡＡ」→・・・と切り替わる。また、操作者が回転操作子３を反時計回り方向に３０°回転させる度に、選択される選択項目が「ＡＡＡ」→「ＬＬＬ」→「ＫＫＫ」→「ＪＪＪ」→・・・→「ＢＢＢ」→「ＡＡＡ」→・・・と切り替わる。
【００６３】
また、操作者が回転操作子３を３０°回転させる度に、表示画面２３ａに表示された選択画面における選択項目の選択が切り替えられる一方で、メイン制御部２４の制御によって超音波モータ８が駆動され、回転操作子３が回転駆動される。
回転操作子３の回転駆動において、メイン制御部２４は、超音波モータ８により、回転操作子３に対して正転方向に回転力を付与する制御と、回転操作子３に対して逆転方向に回転力の付与する制御と、回転操作子３に対する回転力の付与を停止する制御とのうちの少なくとも何れか２つの制御を組み合わせて実行することにより、操作者に力覚を呈示する。
【００６４】
例えば、回転操作子３が時計回り方向に回転操作されている場合、メイン制御部２４は、回転操作子３に対して逆転方向に回転力を付与する制御と、回転操作子３に対して正転方向に回転力の付与する制御とを、この順序で実行する。すなわち、操作者が、回転操作子３の操作面Ｐを指先で押さえて、回転操作子３を時計回り方向に３０°回転させていく度に、選択項目の選択が切り替えられる一方で、回転操作子３が反時計回り方向と時計回り方向に交互に回転する。
また、回転操作子３が反時計回り方向に回転操作されている場合、メイン制御部２４は、回転操作子３に対して正転方向に回転力を付与する制御と、回転操作子３に対して逆転方向に回転力の付与する制御とを、この順序で実行する。すなわち、操作者が、回転操作子３の操作面Ｐを指先で押さえて、回転操作子３を反時計周り方向に３０°回転させていく度に、選択項目の選択が切り替えられる一方で、回転操作子３が時計回り方向と反時計回り方向に交互に回転する。
このように、回転操作子３の回転操作によって、選択項目の切り替えが行われるタイミングで、回転操作子３に対して正転方向に回転力を付与する制御と、回転操作子３に対して逆転方向に回転力の付与する制御と、が交互に実行されることで操作者に力覚が付与されることとなり、操作者に、選択項目が切り替えられたことを明確に把握させることができる。
【００６５】
また、メイン制御部２４は、回転操作子３の回転操作によって所定の選択項目（例えば、選択角度が「０°、９０°、１８０°、２７０°」の選択項目）が選択されたタイミングで、回転操作子３に対して逆転方向に回転力を付与する制御と、回転操作子３に対する回転力の付与を停止する制御と、回転操作子３に対して正転方向に回転力の付与する制御と、を順に実行する。すなわち、操作者が、回転操作子３の操作面Ｐを指先で押さえて、回転操作子３を９０°回転させていく度に、所定の選択項目（例えば、選択角度が「０°、９０°、１８０°、２７０°」の選択項目）に選択が切り替えられる一方で、回転操作子３が、間欠的に、反時計回り方向と時計回り方向に交互に回転することとなる。
このように、回転操作子３の回転操作によって所定の選択項目（例えば、選択角度が「０°、９０°、１８０°、２７０°」の選択項目）に選択が切り替えられるタイミングで、回転操作子３に対して正転方向に回転力を付与する制御と、回転操作子３に対する回転力の付与を停止する制御と、回転操作子３に対して逆転方向に回転力の付与する制御と、が交互に実行されることで操作者に更に明確な力覚が付与されることとなり、操作者に、所定の選択項目が選択されたことをより確実に把握させることができる。
【００６６】
また、操作者は、回転操作子３を通常時よりも大きい力で押圧することによって、回転操作子３をより大きく回転させることができる。
すなわち、操作者が回転操作子３を通常時よりも大きい力で押圧し、これを受けて、メイン制御部２４が、各感圧センサ９ａ〜９ｄから出力される検知信号に基づいて、回転操作子３に対する軸方向の圧力の大きさが「中」であると判断した場合、メイン制御部２４は、回転操作子３の回転操作によって回転操作子３の回転角度が選択画面における選択可能な選択項目に対応する選択角度となったタイミングで、通常時の回転力よりも大きな回転力で超音波モータ８を回転駆動させる。すると、操作者は、回転操作子３からより大きな力覚を受けて、より明確な操作感を得ることとなる。
このように、操作者が回転操作子３の押圧力を変えることによって、回転操作子３に付与される回転力の大きさを変更して、個々の操作者が所望する操作感を得ることができる。
【００６７】
また、操作者は、回転操作子３を通常時よりも大きい力で押圧することによって、回転操作子３の１回転あたりの選択項目の分割数を増加させることともに、選択画面上の選択項目の数を増加させることができる。
例えば、図６の選択画面上で、操作者が回転操作子３を通常時よりも大きい力で押圧し、これを受けて、メイン制御部２４が、各感圧センサ９ａ〜９ｄから出力される検知信号に基づいて、回転操作子３に対する軸方向の圧力の大きさが「中」であると判断した場合、メイン制御部２４は、図１０に示すように、選択画面上の選択項目の数を増加させるとともに、回転操作子３の１回転あたりの選択角度の分割数を増加させ、各選択項目を選択するための選択角度を小さくする。図１０の選択画面では、２４個の選択項目（選択可能な選択項目）が、等間隔でリング状に並んで表示されている。
【００６８】
上述のように、選択角度は、回転操作子３の１回転分の角度（３６０°）を選択画面上の選択可能な選択項目の数で等分割した角度毎に設定されるため、図１０のように、選択可能な選択項目数が２４個に増加した場合には、選択角度は１５°刻みで設定されることとなる。
すなわち、図１０の選択画面上での回転操作子３の回転操作において、選択項目「ＡＡＡ」を選択するための選択角度を「０°」とした場合、選択項目「ａａａ」を選択するための選択角度は「１５°」、選択項目「ＢＢＢ」を選択するための選択角度は「３０°」、選択項目「ｂｂｂ」を選択するための選択角度は「４５°」、選択項目「ＣＣＣ」を選択するための選択角度は「６０°」、選択項目「ｃｃｃ」を選択するための選択角度は「７５°」、選択項目「ＤＤＤ」を選択するための選択角度は「９０°」、選択項目「ｄｄｄ」を選択するための選択角度は「１０５°」、選択項目「ＥＥＥ」を選択するための選択角度は「１２０°」、選択項目「ｅｅｅ」を選択するための選択角度は「１３５°」、選択項目「ＦＦＦ」を選択するための選択角度は「１５０°」、選択項目「ｆｆｆ」を選択するための選択角度は「１６５°」、選択項目「ＧＧＧ」を選択するための選択角度は「１８０°」に設定される。
【００６９】
これにより、図１０の選択画面では、回転操作子３を１５°回転させる度に、選択項目の選択が順に切り替えられるようになっている。
すなわち、図１０の選択画面では、操作者が回転操作子３を時計回り方向に１５°回転させる度に、選択される選択項目が「ＡＡＡ」→「ａａａ」→「ＢＢＢ」→「ｂｂｂ」→・・・→「ｌｌｌ」→「ＡＡＡ」→・・・と切り替わる。また、操作者が回転操作子３を反時計回り方向に１５°回転させる度に、選択される選択項目が「ＡＡＡ」→「ｌｌｌ」→「ＬＬＬ」→「ｋｋｋ」→・・・→「ａａａ」→「ＡＡＡ」→・・・と切り替わる。
このように、操作者が回転操作子３を押圧する力を変えることによって、回転操作子３の１回転あたりの選択項目の分割数が増減するため、各選択項目の選択切り替えに要する回転操作子３の回転量を変化させることができるとともに、同じ角度且つ同じスピードで回転操作子３を回転操作した場合の操作画面における移動量を変化させることができる。
また、操作者が回転操作子３を押圧する力を変えることによって、表示画面２３ａに表示された選択画面上の選択項目の数を変更して、目的の選択項目をより効率的に選択することができる。
【００７０】
また、操作者は、回転操作子３の回転操作によって選択画面上に表示された何れかの選択項目を選択した後に、回転操作子３を、選択項目の数の切り替えに要する押圧力よりも更に大きい力で押圧することによって、選択項目の選択を決定させることができる。
例えば、図６の選択画面上で、操作者が、選択項目の数の切り替えに要する押圧力よりも大きい力で回転操作子３を押圧し、これを受けて、メイン制御部２４が、各感圧センサ９ａ〜９ｄから出力される検知信号に基づいて、回転操作子３に対する軸方向の圧力の大きさが「大」であると判断した場合、メイン制御部２４は、選択画面における選択項目の選択が決定されたと判断して、決定された選択項目に応じた処理を実行する。
すなわち、例えば、図７の選択画面に示すように、選択項目「ＢＢＢ」が選択された状態で、操作者が、軸方向の圧力の大きさが「大」となるように回転操作子３を押圧すると、選択項目「ＢＢＢ」の選択が決定されることとなり、選択が決定された選択項目「ＢＢＢ」に応じた処理が実行される。
【００７１】
さらに、操作者は、表示画面２３ａ上に複数の選択項目から成る選択項目群が複数表示されている場合に、回転操作子３を、選択項目の数の切り替えに要する押圧力よりも更に大きい力で押圧することによって、選択可能な選択項目群を切り替えることができる。
図１１は、表示部２３の表示画面２３ａに表示された選択画面の一例である。この選択画面では、一つの選択項目群に属する選択項目が一つのリングをなすように、複数の選択項目から成る選択項目群が複数表示されている。図１１の選択画面では、３つの選択項目群が３次元的に奥行きをもって表示されており、最も手前側（又は、２次元的表示では外周側）に、選択可能な選択項目群Ｇ１が表示されている。また、選択可能な選択項目群Ｇ１の奥側（又は、２次元的表示では内側）に、２つ目の選択項目群Ｇ２が表示され、さらに、選択項目群Ｇ２の奥側（又は、２次元的表示では内側）に、３つ目の選択項目群Ｇ３が表示されている。この状態で、操作者が回転操作子３を時計回り方向に回転させると、回転操作子３が３０°回転する度に、最も手前側に位置するリングが反時計回りに３０°回転し、選択可能な選択項目群Ｇ１に含まれる選択項目が順に選択されることとなる。
【００７２】
そして、図１１の選択画面上で、操作者が、選択項目の数の切り替えに要する押圧力よりも大きい力で回転操作子３を押圧し、これを受けて、メイン制御部２４が、各感圧センサ９ａ〜９ｄから出力される検知信号に基づいて、回転操作子３に対する軸方向の圧力の大きさが「大」であると判断した場合、メイン制御部２４は、図１２に示すように、選択可能な選択項目群の切り替えを行う。図１２の選択画面では、図１１の選択画面で最も手前側に表示された選択項目群Ｇ１が消え、２つ目の選択項目群Ｇ２が選択可能となっている。
さらに、図１２の選択画面上で、操作者が、選択項目の数の切り替えに要する押圧力よりも大きい力で回転操作子３を押圧し、これを受けて、メイン制御部２４が、各感圧センサ９ａ〜９ｄから出力される検知信号に基づいて、回転操作子３に対する軸方向の圧力の大きさが「大」であると判断した場合、メイン制御部２４は、図１３に示すように、選択可能な選択項目群の切り替えを行う。図１３の選択画面では、図１２の選択画面で最も手前側に表示された選択項目群Ｇ２が消え、３つ目の選択項目群Ｇ３が選択可能となっている。
【００７３】
さらに、操作者は、回転操作子３を必要な力で押圧することによって、選択項目の数の変更、回転力の大きさの切り替え、選択可能な選択項目群の切り替え等を行った後に、再び、これらの各処理に必要な大きさの力で回転操作子３を押圧操作することによって、選択項目の数や回転力の大きさ、選択可能な選択項目群を元の状態に戻すことができる。
【００７４】
以上に説明した本実施形態の回転式入力装置１を備える携帯電話機１００（電子機器）によれば、操作者の回転操作を受けて、軸周りに回転可能な回転操作子３と、回転操作子３の回転角度を検出する回転検出手段（回転検出部７、回転検出プログラム２４３ａ、メインＣＰＵ２４１）と、回転操作子３に回転力を付与する回転駆動手段（超音波モータ８）と、回転操作子３に対する軸方向の圧力の大きさを検知する圧力検知手段（感圧センサ９ａ〜９ｄ、圧力検知プログラム２４３ｂ、メインＣＰＵ２４１）と、が備わる。また、判断手段（判断プログラム２４３ｃ、メインＣＰＵ２４１）により、回転検出手段（回転検出部７、回転検出プログラム２４３ａ、メインＣＰＵ２４１）により検出された回転操作子３の回転角度が、表示部２３の表示画面２３ａに表示された選択項目に対応する所定の角度にあるか否かが判断され、判断手段（判断プログラム２４３ｃ、メインＣＰＵ２４１）により、回転操作子３の回転角度が所定の角度にあると判断された場合に、生成手段（生成プログラム２４３ｄ、メインＣＰＵ２４１）により、選択項目の選択を切り替えるための切替信号が生成され、表示制御手段（表示制御プログラム２４３ｆ、メインＣＰＵ２４１）により、生成手段（生成プログラム２４３ｄ、メインＣＰＵ２４１）により生成された切替信号に基づいて、表示部２３の表示画面２３ａに表示された選択項目の選択を切り替える表示制御が行われる。また、判断手段（判断プログラム２４３ｃ、メインＣＰＵ２４１）により、回転操作子３の回転角度が所定の角度にあると判断された場合に、回転制御手段（回転制御プログラム２４３ｅ、メインＣＰＵ２４１）により、超音波モータ８により、回転操作子３に対する正転方向への回転力の付与、逆転方向への回転力の付与又は回転力の付与停止のうちの少なくとも何れか２つの組合せにより、回転操作子３を操作する操作者に力覚を付与するように回転操作子３の回転駆動が制御される。
すなわち、回転操作子３の回転角度が選択項目に対応する所定の角度にある場合に、表示部２３の表示画面２３ａに表示された選択項目の選択の切り替えに連動して、回転駆動部により、回転操作子３に対して、正転方向への回転力の付与、逆転方向への回転力の付与又は回転力の付与停止のうちの少なくとも何れか２つの組み合わせた回転駆動が実行される。したがって、回転操作子３の回転操作によって選択項目の選択が切り替わるタイミングで、操作者に回転操作子３の回転による力覚を与えて、選択項目の選択が切り替えられたことをより確実に把握させることができ、回転式入力装置１及びこの回転式入力装置１を備える電子機器において、選択項目が選択されているタイミングで操作者に明確な操作感を与えることが可能となる。
【００７５】
また、表示制御手段（表示制御プログラム２４３ｆ、メインＣＰＵ２４１）により、圧力検知手段（感圧センサ９ａ〜９ｄ、圧力検知プログラム２４３ｂ、メインＣＰＵ２４１）により検知された圧力の大きさに応じて、表示部２３の表示画面２３ａにおける選択可能な選択項目の数が変更される。よって、操作者は、回転操作子３に対する軸方向の圧力を変えることによって、表示画面２３ａにおける選択可能な選択項目の数を変更することができる。したがって、必要な場合のみ選択可能な選択項目の数を増やすことによって、目的の選択項目を効率良く選択することが可能となり、操作者にとって使い勝手の良いものとなる。
【００７６】
また、所定の角度は、表示部２３の表示画面２３ａにおける選択可能な選択項目の数に応じて設定される。よって、選択可能な選択項目の数が少ない場合に所定の角度を大きく設定し、選択可能な選択項目の数が多い場合に所定の角度を小さく設定することとすれば、選択可能な選択項目の数が多い場合であっても回転操作子３を大きく回転させる必要が無くなり、選択可能な選択項目の数に応じたより効率の良い回転操作を行うことができる。
【００７７】
さらに、回転制御手段により、圧力検知手段により検知された圧力の大きさに応じて回転操作子３に付与する回転力が変化される。したがって、操作者は、回転操作子３に対する軸方向の圧力を変えることによって、選択項目の選択が切り替えられた場合に発生する回転操作子３の回転力を変更することができることとなる。したがって、回転式入力装置１において、個々の操作者が求める操作感を得ることが可能となり、操作者にとって更に使い勝手の良いものとなる。
【００７８】
なお、本発明の範囲は上記実施形態に限られることなく、本発明の趣旨を逸脱しない範囲において種々の改良並びに設計の変更を行っても良い。
【００７９】
例えば、上記実施形態で説明した、選択項目の数の変更、回転力の大きさの切り替え、選択項目の決定、選択可能な選択項目群の切り替えに必要な軸方向の圧力の大きさ（大、中、小）は一例に過ぎず、これらの各処理を指示するために必要な圧力の大きさは、各処理毎に任意に設定することができる。
例えば、回転操作子３に対する軸方向の圧力の大きさが大きい場合に、表示画面２３ａ上に表示された選択可能な選択項目の数を減らし、回転操作子３に対する軸方向の圧力の大きさが小さい場合に、表示画面２３ａ上に表示された選択可能な選択項目の数を増やすこととしても良い。
また、回転操作子３に対する軸方向の圧力の大きさをより細かく検出し、選択項目の数の変更、回転力の大きさの切り替え、選択項目の決定、選択可能な選択項目群の切り替えを、圧力の大きさに応じてより細かく実行しても良い。
さらに、回転操作子３に対する軸方向の圧力の大きさに応じて、選択項目の数の変更、回転力の大きさの切り替え、選択項目の決定、選択可能な選択項目群の切り替え以外の処理（例えば、超音波モータ８の駆動周波数の切り替えや、回転速度の切り替え、回転操作子３に付与される回転力の組み合わせの切り替え等）が行われるように構成しても良い。
【００８０】
また、上記実施形態では、回転操作子３に対する軸方向の圧力の大きさに応じて、表示画面２３ａに表示された選択項目の数を変更することとした。しかしながら、表示画面２３ａに表示された選択項目の数は一定とし、回転操作子３に対する軸方向の圧力の大きさに応じて、表示画面２３ａに表示された選択項目のうちの選択可能な選択項目のみを変更することとしても良い。
例えば、表示画面２３ａの選択画面上に２４個の選択項目が表示されている場合において、回転操作子３に対する軸方向の圧力の大きさが「小」である場合には、２４個の選択項目のうち、１２個の選択項目のみを選択可能な選択項目とする。この状態で、操作者が回転操作子３を回転操作すると、選択不可能な選択項目がスキップされ、選択可能な１２個の選択項目のみを順に選択することができる。一方、回転操作子３に対する軸方向の圧力の大きさが「大」である場合には、２４個の選択項目の全てを選択可能な選択項目とする。この状態で、操作者が回転操作子３を回転操作すると、全ての選択項目を順に選択することができる。
【００８１】
また、上記実施形態では、本発明に係る回転式入力装置１を備える電子機器として携帯電話機１００を例示したが、本発明の回転式入力装置１は携帯電話機に限られることなく、回転式入力装置による入力操作を行うことができる限り如何なる電子機器にも適用することができる。例えば、携帯型オーディオプレーヤ、ＰＤＡ（Personal Digital Assistance）等の他の携帯型端末装置や、テレビジョン受像機等のＡＶ機器、パーソナルコンピュータ等に本発明の回転式入力装置を適用しても良い。また、回転式入力装置は、電子機器に予め組み込まれていても良く、また、単体の外付け装置として電子機器に接続して使用することとしても良い。
【００８２】
また、上記実施形態では、回転操作子３の回転角度を検出する回転検出手段として、円環状のコードホイール７１とフォトインタラプタ７２とから成る光学式の回転検出部７を例示したが、回転検出部７は回転検出手段の一例であり、回転操作子３の回転角度を検出するものであれば如何なる構成を用いても良い。例えば、メカ式（接点式）、磁気式、電極の静電容量変化によって位置検出を行う静電式の回転検出手段等を用いることができる。
さらに、回転操作子３の回転量及び回転方向に加え、絶対位置を検出可能なアブソリュート型のロータリー・エンコーダを用いても良い。
【００８３】
また、上記実施形態では、回転操作子３を回転駆動させる回転駆動手段として超音波モータ８を例示したが、超音波モータは回転駆動手段の一例であり、回転操作子３を回転駆動させるものであれば如何なる構成を用いても良い。例えば、静電荷同士の吸引と反発を動力として駆動する静電アクチュエータや、磁場（磁界）と電力の相互作用による力を利用して駆動する電磁式アクチュエータ、磁歪アクチュエータ、油圧シリンダ、空気圧シリンダによるもの等を用いることができる。また、回転駆動手段における駆動の制御として、アクチュエータの動力をそのまま回転操作子等の被駆動体に伝えるものであってもよく、または、駆動パルス数に比例して動作するステッピングモータ等であっても良い。また、被駆動体を回転させることによって駆動するアクチュエータであってもよく、または、被駆動体をリニアに運動させることによって駆動するリニアアクチュエータであっても良い。
【００８４】
また、上記実施形態では、感圧センサをＰＣＢ基板の裏面側に４つ配設する場合について説明したが、感圧センサの配置位置はこれに限られず、回転操作子３に対する軸方向の圧力を検知可能であればどの位置に配設されていても良い。また、感圧センサの数も４つに限られず、１つ以上であれば良い。また、感圧センサは、圧力の量を検知するものに限らず、タクトスイッチのような、所定値以上の圧力がかかった否かを検知できるものであっても良い。
【符号の説明】
【００８５】
１００  携帯電話機（電子機器）
１      回転式入力装置
３      回転操作子
７      回転検出部（回転検出手段）
８      超音波モータ（回転駆動手段、圧電アクチュエータ）
９ａ〜９ｄ  感圧センサ（圧力検知手段）
２３    表示部
２３ａ  表示画面
２４１  メインＣＰＵ（回転検出手段、圧力検知手段、判断手段、生成手段、回転制御手段、表示制御手段）
２４３ａ  回転検出プログラム（回転検出手段）
２４３ｂ  圧力検知プログラム（圧力検知手段）
２４３ｃ  判断プログラム（判断手段）
２４３ｄ  生成プログラム（生成手段）
２４３ｅ  回転制御プログラム（回転制御手段）
２４３ｆ  表示制御プログラム（表示制御手段）
【図１】
2010257053.tif 000003
【図２】
2010257053.tif 000004
【図３】
2010257053.tif 000005
【図４】
2010257053.tif 000006
【図５】
2010257053.tif 000007
【図６】
2010257053.tif 000008
【図７】
2010257053.tif 000009
【図８】
2010257053.tif 000010
【図９】
2010257053.tif 000011
【図１０】
2010257053.tif 000012
【図１１】
2010257053.tif 000013
【図１２】
2010257053.tif 000014
【図１３】
2010257053.tif 000015